(57)【要約】【課題】  侵入者が外部磁石をリードスイッチに近接させるよう画策した場合でも、その外部磁石の磁力を検出し、リードスイッチがＯＮからＯＦＦへ、若しくは、ＯＦＦからＯＮへ反転動作するセキュリティの高い防犯センサを提供すること。【解決手段】  ２つのリードスイッチ３７、３９と１つの磁石１５とを備える防犯センサである。このリードスイッチ３７、３９は、プリント基板４１上に実装され、接点の開閉状態を検出する回路（図示せず）に接続されるようになっている。また、リードスイッチ３７、３９を収納する箱として、ケース取り付け部１０１で窓枠１９に取り付けるケース４３を備え、磁石１５はリードスイッチ３７、３９の長手方向に着磁され、磁石取り付け面１０２で開閉する窓２１に配置され、リードスイッチ長手方向と平行に、且つ、プリント基板４１に平行に相対移動する。【選択図】  図１
2006164958.tif 000002
【特許請求の範囲】
【請求項１】
基板面に長手方向を前記基板面と平行にして並置された少なくとも２つの磁気感応スイッチと磁石との近接又は離間によって、２つの独立部の近接又は離間を検出し、前記独立部が設定位置にあるか否かを検知する防犯センサにおいて、前記磁石は前記２つの独立部の一方に配設され、前記磁気感応スイッチは前記磁石に対向するように前記２つの独立部の他方に配設され前記磁石の相対移動に対してそれぞれが独立して動作することを特徴とする防犯センサ。
【請求項２】
前記磁石は前記基板面と平行に且つ前記磁気感応スイッチの長手方向と平行に相対移動することを特徴とする、請求項１記載の防犯センサ。
【請求項３】
前記磁石は前記基板面と平行に且つ前記磁気感応スイッチの長手方向と垂直に相対移動することを特徴とする、請求項１記載の防犯センサ。
【請求項４】
前記磁石は直方体状又は棒状であり、前記磁気感応スイッチの長手方向と平行に着磁されたことを特徴とする、請求項１から請求項３のいずれか１つに記載の防犯センサ。
【請求項５】
前記磁気感応スイッチの２つは感度が２倍以上異なることを特徴とする、請求項１から請求項４のいずれか１つに記載の防犯センサ。
【請求項６】
前記磁気感応スイッチの２つは前記磁石からの距離が、最も接近した状態で２倍以上異なることを特徴とする、請求項１から請求項５のいずれか１つに記載の防犯センサ。
【請求項７】
前記磁気感応スイッチの１つに自己保持用磁石を備えたことを特徴とする、請求項１から請求項６のいずれか１つに記載の防犯センサ。
【請求項８】
前記磁気感応スイッチの２つの内の一方は前記磁石の中心部に対向して配設され、もう一方は前記磁石の移動方向に変位して配設されたことを特徴とする、請求項１から請求項７のいずれか１つに記載の防犯センサ。
【請求項９】
前記磁石は直方体状又は円柱状であり、前記磁石は前記磁気感応スイッチが並置された基板面と垂直に着磁されたことを特徴とする、請求項１から請求項３のいずれか１つに記載の防犯センサ。
【請求項１０】
基板面に長手方向を平行にして配置された磁気感応スイッチと磁石との近接又は離間によって、２つの独立部の近接又は離間を検出し、前記独立部が設定位置にあるか否かを検知する防犯センサにおいて、前記磁石は前記２つの独立部の一方に配設され前記基板面と垂直に着磁され、前記磁気感応スイッチは前記２つの独立部の他方に配設され前記磁石に対向し、前記磁石は前記基板面と平行に且つ前記磁気感応スイッチの長手方向と平行に相対移動可能であり、前記磁気感応スイッチは前記設定位置では前記磁石に最も接近した位置から変位した位置にあり且つＯＮ状態にあり、前記２つの独立部が前記設定位置から離れるように移動するとき、前記磁気感応スイッチは前記最も接近した位置の付近でＯＦＦ状態になった後、再びＯＮ状態になり、更に離間してＯＦＦ状態になることを特徴とする防犯センサ。
【請求項１１】
磁石及び基板面上の磁気感応スイッチが一定の間隔を置いて並置されてなるユニットと、磁気遮蔽板との近接又は離間によって、２つの独立部の近接又は離間を検出し、前記独立部が設定位置にあるか否かを検知する防犯センサにおいて、前記２つの独立部の一方には前記ユニットが配設され、前記磁気遮蔽板は前記２つの独立部の他方と連動し前記磁石と前記磁気感応スイッチの間を移動し、前記磁気感応スイッチに対して前記磁石の磁束を遮蔽する状態と前記磁束を遮蔽しない状態との間で可動であることを特徴とする防犯センサ。
【請求項１２】
前記磁気感応スイッチがリードスイッチからなることを特徴とする、請求項１から請求項１１のいずれか１つに記載の防犯センサ。
【請求項１３】
前記磁気感応スイッチがホールＩＣとスイッチング回路からなることを特徴とする、請求項１から請求項１１のいずれか１つに記載の防犯センサ。
【請求項１４】
前記磁気感応スイッチがＭＲ素子とスイッチング回路からなることを特徴とする、請求項１から請求項１１のいずれか１つに記載の防犯センサ。
【請求項１５】
基板面に長手方向を平行にして配置された第１及び第２の磁気感応スイッチと、第１及び第２の磁石との近接又は離間によって、２つの独立部の近接又は離間を検出し、前記２つの独立部が設定位置にあるか否かを検知する防犯センサにおいて、前記磁石はいずれも前記２つの独立部の一方に配設され前記基板面と垂直に着磁され、前記第１及び第２の磁石は互いに逆方向の極性に着磁され、前記磁気感応スイッチはいずれも前記２つの独立部の他方に配設され前記第１の磁気感応スイッチは前記第１の磁石に対向し前記第２の磁気感応スイッチは前記第２の磁石に対向し、前記磁石は前記基板面と平行に且つ前記磁気感応スイッチの長手方向と平行に相対移動可能であり、前記第１及び第２の磁気感応スイッチはそれぞれ前記設定位置では前記第１及び第２の磁石に最も接近した位置から変位した位置にあり且つＯＮ状態にあり、前記２つの独立部が前記設定位置から離れるように移動するとき、前記磁気感応スイッチのそれぞれは前記最も接近した位置の付近でＯＦＦ状態になった後、再びＯＮ状態になり、更に離間してＯＦＦ状態になることを特徴とする、防犯センサ。
【請求項１６】
前記第１の磁気感応スイッチと第２の磁気感応スイッチとの間の前記基板面上には第３の磁気感応スイッチと自己保持用磁石とが並置されたことを特徴とする、請求項１５記載の防犯センサ。
【請求項１７】
前記磁気感応スイッチは直列接続されたことを特徴とする、請求項１５又は請求項１６記載の防犯センサ。
【発明の詳細な説明】
【技術分野】
【０００１】
本発明は、磁気感応スイッチと磁石を利用した防犯センサに関し、特に、侵入者の磁石を用いた画策を防止し、誤動作のない開戸検知として好適な防犯センサに関する。
【背景技術】
【０００２】
従来、防犯センサとしては、磁気感応スイッチであるリードスイッチと磁石を組み合わせた近接センサ方式が主流として使用されている。
【０００３】
まず、磁気感応スイッチであるリードスイッチと磁石を組み合わせた防犯センサは、侵入を画策する者が防犯センサの構造・原理を熟知しており、外部磁石により窓が閉じられた状態と同じリードスイッチの動作状態を保つことで、窓の開検知を働かせないようにし、侵入するといった手口が、近年増加している。
【０００４】
次に、図面を参照して、更に説明する。まず、図１３（ａ）、図１３（ｂ）を参照して、従来の防犯センサの第１の例について概説する。図１３（ａ）は斜視図、図１３（ｂ）は使用状態の概略図である。図示の防犯センサ１１は、窓枠１９の側に取り付けた磁気感応スイッチであるリードスイッチ１３と、開閉する窓２１に取り付けた磁石１５との組み合わせに於いて、窓の開閉を検知する構造となっている。窓が閉じている状態の時には、窓枠１９側のリードスイッチ１３と開閉する窓２１に取り付けた磁石１５は接近しており、磁石１５の磁力がリードスイッチ１３に作用するので、リードスイッチ１３はＯＮの状態になっている。しかし、窓が開けられたり、正しく閉じられていないときには、リードスイッチ１３から磁石１５が離反して、リードスイッチ１３はＯＦＦ状態になる構造となっている。また、外部磁石１７は侵入者が画策のために使う偽装用の磁石である（以下、図１３に示す防犯センサを従来例１と呼ぶ）。
【０００５】
他方、特許文献１で開示された例は、図１４で示すように、防犯センサ２３に於いて、窓２１が開けられたり、正しく閉じられていないときには、リードスイッチ２５から磁石２７が離反して、リードスイッチ２５は、ＯＦＦの状態となり、アラームを出力させて窓２１の開閉を知らせる検知器２９となっている。また、この例は、窓２１の開閉検知の他にガラス破壊検知用のリードスイッチ３１と穴部９７に収容した磁石３３も有している（以下、図１４に示す防犯センサを従来例２と呼ぶ）。
【０００６】
【特許文献１】特開平７−９３６７０号公報
【発明の開示】
【発明が解決しようとする課題】
【０００７】
ところで、従来例１あるいは従来例２の特許文献１の例では、侵入者が窓越しにリードスイッチを駆動させるのに適した外部磁石をリードスイッチに近接させ、窓が閉じられた状態であるリードスイッチのＯＮ状態を保持させたままアラームを出力させずに窓を開けることが可能であり、窓が開いたことを検知できないという問題点がある。
【０００８】
そこで本発明の目的は、侵入者が外部磁石をリードスイッチに近接させるよう画策した場合でも、外部磁石の磁力を検出し、リードスイッチがＯＮからＯＦＦへ、若しくは、ＯＦＦからＯＮへの反転動作となるセキュリティの高い防犯センサを提供することにある。
【課題を解決するための手段】
【０００９】
本発明は、磁気感応スイッチと磁石の位置関係あるいは、磁石の向きを変化させて配置し、磁気感応スイッチの動作状況を精密に調べた結果に基づいてなされた。また磁気感応スイッチの中心部に於ける磁気感応スイッチの長手方向に平行な磁束と、その長手方向に垂直な磁束とに着目して、磁気感応スイッチの動作を精密に調べた結果に基づいてなされた。更に磁気感応スイッチと磁石の位置関係より、侵入者による外部磁石を用いた画策が不可能となるような、磁束分布をもたらす磁石と磁気感応スイッチの組み合わせを実現することによってなされた。
【００１０】
請求項１記載の発明によれば、基板面に長手方向を前記基板面と平行にして並置された少なくとも２つの磁気感応スイッチと磁石との近接又は離間によって、２つの独立部の近接又は離間を検出し、前記独立部が設定位置にあるか否かを検知する防犯センサにおいて、前記磁石は前記２つの独立部の一方に配設され、前記磁気感応スイッチは前記磁石に対向するように前記２つの独立部の他方に配設され前記磁石の相対移動に対してそれぞれが独立して動作することを特徴とする防犯センサが得られる。
【００１１】
請求項２記載の発明によれば、前記磁石は前記基板面と平行に且つ前記磁気感応スイッチの長手方向と平行に相対移動することを特徴とする、請求項１に記載の防犯センサが得られる。
【００１２】
請求項３記載の発明によれば、前記磁石は前記基板面と平行に且つ前記磁気感応スイッチの長手方向と垂直に相対移動することを特徴とする、請求項１に記載の防犯センサが得られる。
【００１３】
請求項４記載の発明によれば、前記磁石は直方体状又は棒状であり、前記磁気感応スイッチの長手方向と平行に着磁されたことを特徴とする、請求項１から請求項３のいずれか１つに記載の防犯センサが得られる。
【００１４】
請求項５記載の発明によれば、前記磁気感応スイッチの２つは感度が２倍以上異なることを特徴とする、請求項１から請求項４のいずれか１つに記載の防犯センサが得られる。
【００１５】
請求項６記載の発明によれば、前記磁気感応スイッチの２つは前記磁石からの距離が最も接近した位置で２倍以上異なることを特徴とする、請求項１から請求項５のいずれか１つに記載の防犯センサが得られる。
【００１６】
請求項７記載の発明によれば、前記磁気感応スイッチの１つに自己保持用磁石を備えたことを特徴とする、請求項１から請求項６のいずれか１つに記載の防犯センサが得られる。
【００１７】
請求項８記載の発明によれば、前記磁気感応スイッチの２つの内の一方は磁石の中心部に対向して配設され、もう一方は前記磁石の移動方向に変位して配設されたことを特徴とする請求項１から請求項７のいずれか１つに記載の防犯センサが得られる。
【００１８】
請求項９記載の発明によれば、前記磁石は直方体状又は円柱状であり、前記磁気感応スイッチが並置された基板面と垂直に着磁されたことを特徴とする、請求項１から請求項３のいずれか１つに記載の防犯センサが得られる。
【００１９】
請求項１０記載の発明によれば、基板面に長手方向を平行にして配置された磁気感応スイッチと磁石との近接又は離間によって、２つの独立部の近接又は離間を検出し、前記独立部が設定位置にあるか否かを検知する防犯センサにおいて、前記磁石は前記２つの独立部の一方に配設され前記基板面と垂直に着磁され、前記磁気感応スイッチは前記２つの独立部の他方に配設され前記磁石に対向し、前記磁石は前記基板面と平行に且つ前記磁気感応スイッチの長手方向と平行に相対移動可能であり、前記磁気感応スイッチは前記設定位置では前記磁石に最も接近した位置から変位した位置にあり且つＯＮ状態にあり、前記２つの独立部が前記設定位置から離れるように移動するとき、前記磁気感応スイッチは前記最も接近した位置の付近でＯＦＦ状態になった後、再びＯＮ状態になり、更に離間してＯＦＦ状態になることを特徴とする防犯センサが得られる。
【００２０】
請求項１１記載の発明によれば、磁石及び基板面上の磁気感応スイッチが一定の間隔を置いて並置されてなるユニットと、磁気遮蔽板との近接又は離間によって、２つの独立部の近接又は離間を検出し、前記独立部が設定位置にあるか否かを検知する防犯センサにおいて、前記２つの独立部の一方には前記ユニットが配設され、前記磁気遮蔽板は前記２つの独立部の他方と連動し、前記磁石と前記磁気感応スイッチの間を移動し、前記磁気感応スイッチに対して前記磁石の磁束を遮蔽する状態と前記磁束を遮蔽しない状態との間で可動であることを特徴とする防犯センサが得られる。
【００２１】
請求項１２記載の発明によれば、前記磁気感応スイッチがリードスイッチからなることを特徴とする、請求項１から請求項１１のいずれか１つに記載の防犯センサが得られる。
【００２２】
請求項１３記載の発明によれば、前記磁気感応スイッチがホールＩＣとスイッチング回路からなることを特徴とする、請求項１から請求項１１のいずれか１つに記載の防犯センサが得られる。
【００２３】
請求項１４記載の発明によれば、前記磁気感応スイッチがＭＲ素子とスイッチング回路からなることを特徴とする、請求項１から請求項１１のいずれか１つに記載の防犯センサが得られる。
【００２４】
請求項１５記載の発明によれば、基板面に長手方向を平行にして配置された第１及び第２の磁気感応スイッチと、第１及び第２の磁石との近接又は離間によって、２つの独立部の近接又は離間を検出し、前記２つの独立部が設定位置にあるか否かを検知する防犯センサにおいて、前記磁石はいずれも前記２つの独立部の一方に配設され前記基板面と垂直に着磁され、前記第１及び第２の磁石は互いに逆方向の極性に着磁され、前記磁気感応スイッチはいずれも前記２つの独立部の他方に配設され前記第１の磁気感応スイッチは前記第１の磁石に対向し前記第２の磁気感応スイッチは前記第２の磁石に対向し、前記磁石は前記基板面と平行に且つ前記磁気感応スイッチの長手方向と平行に相対移動可能であり、前記第１及び第２の磁気感応スイッチはそれぞれ前記設定位置では前記第１及び第２の磁石に最も接近した位置から変位した位置にあり且つＯＮ状態にあり、前記２つの独立部が前記設定位置から離れるように移動するとき、前記磁気感応スイッチのそれぞれは前記最も接近した位置の付近でＯＦＦ状態になった後、再びＯＮ状態になり、更に離間してＯＦＦ状態になることを特徴とする防犯センサが得られる。
【００２５】
請求項１６記載の発明によれば、前記第１の磁気感応スイッチと第２の磁気感応スイッチとの間の前記基板面上には第３の磁気感応スイッチと自己保持用磁石とが並置されたことを特徴とする請求項１５記載の防犯センサが得られる。
【００２６】
請求項１７記載の発明によれば、前記磁気感応スイッチは直列接続されたことを特徴とする防犯センサが得られる。
【発明の効果】
【００２７】
以上説明したように、本発明によれば、磁石とそれに組み合わせる磁気感応スイッチとを最適に配置することにより、また磁気遮蔽板を配置することにより、磁気感応スイッチのＯＮ／ＯＦＦ特性が侵入者の外部磁石によってコントロールされることを防止したセキュリティの高い防犯センサを提供出来る。
【発明を実施するための最良の形態】
【００２８】
以下、本発明の実施の形態について図面を参照して説明する。
【００２９】
図１は本発明の請求項１、請求項２及び請求項５に係り、磁石を請求項４に係る着磁方向及び形状で、且つ、磁気感応スイッチを請求項１２に係るリードスイッチで構成した実施の形態１の防犯センサを示し、図１（ａ）は斜視図、図１（ｂ）は使用状態の概略図である。
【００３０】
図１を参照して、本実施の形態１の防犯センサ３５は、２つのリードスイッチ３７、３９と１つの磁石１５とからなる。このリードスイッチ３７、３９は、プリント基板４１（実装基板）上に実装され、接点の開閉状態を検出する回路（図示せず）に接続されるようになっている。また、リードスイッチ３７、３９を収納する箱として、且つ窓枠に取り付け可能なケース４３を備え、図面でハッチングを施したケース取り付け部１０１で窓枠１９に取付けられる。
【００３１】
一方、直方体形状の磁石１５はリードスイッチ３７、３９の長手方向に着磁され、図面で陰影を施した磁石取り付け面１０２を貼り付けて開閉する窓２１に配置される。また、磁石１５は、リードスイッチ長手方向と平行に、且つ、プリント基板４１に平行（矢印Ｘ又はＹ方向）に相対移動する。
【００３２】
本発明の実施の形態１の動作を説明する前に、この種のリードスイッチの一般的な動作を説明する。図９はリードスイッチの長手方向と平行に配置された棒磁石の位置とリードスイッチの動作との関係を示す説明図であり、図９（ａ）は第１の磁石位置、図９（ｂ）は第２の磁石位置、図９（ｃ）は第３の磁石位置、図９（ｄ）は動作領域を示す図である。
【００３３】
図９（ａ）のように、リードスイッチ９２に平行に、棒磁石９１が配置され、棒磁石９１の中心がリードスイッチ９２の中心付近にあるとき、リードスイッチの２つのリード片接点は互いに異極に磁化され、その吸引力によりＯＮ動作が行われる。この状態は、図９（ｄ）の動作領域図で、ｘ軸とｙ軸の交点（原点）より少し上のＯＮ動作領域に対応している。
【００３４】
次に、図９（ｂ）のように、棒磁石９１はリードスイッチ９２と平行を保ちながら、Ｎ極端面がリードスイッチ９２の中心付近まで来ると、２つのリード片接点はＳ極に磁化され、反発力によりＯＦＦ動作が行われる。この状態は、図９（ｄ）の動作領域図で、ｘ軸とｙ軸の交点（原点）より少し右側のＯＦＦ動作領域に対応している。なお、ＯＮ動作領域とＯＦＦ動作領域の間の白抜き領域は、ＨＯＬＤ（保持）領域である。
【００３５】
更に、図９（ｃ）のように、棒磁石９１はリードスイッチ９２と平行を保ちながら、Ｎ極端面がリードスイッチ９２の長手方向端部まで来ると、再び２つのリード片接点は異極に磁化され、ＯＮ動作が行われる。この状態は、図９（ｄ）の動作領域図で、ｘ軸上近くの原点から離れた位置にある小さなＯＮ動作領域に対応している。
【００３６】
引き続き、リードスイッチと垂直に棒磁石が配置された場合の動作を説明する。図１０は、リードスイッチの長手方向と垂直に配置された棒磁石の位置とリードスイッチの動作との関係を示す説明図であり、図１０（ａ）は第１の磁石位置、図１０（ｂ）は第２の磁石位置、図１０（ｃ）は動作領域を示す図である。
【００３７】
図１０（ａ）のように、リードスイッチ９２に垂直に棒磁石９１が配置され、棒磁石９１の端面がリードスイッチ９２の中心付近にあるとき、リードスイッチの２つのリード片接点は同極に磁化され、その反発力によりＯＦＦ動作が行われる。この状態は、図１０（ｃ）の動作領域図で、ｘ軸とｙ軸の交点（原点）より少し上のＯＦＦ動作領域に対応している。
【００３８】
次に、図１０（ｂ）のように、棒磁石９１はリードスイッチ９２と垂直を保ちながら、端面がリードスイッチ９２の長手方向端部まで来ると、２つのリード片接点は異極に磁化され、吸引力によりＯＮ動作が行われる。この状態は、図１０（ｃ）の動作領域図で、ｘ軸とｙ軸の交点（原点）より少し右側のＯＮ動作領域に対応している。なお、ＯＦＦ動作領域とＯＮ動作領域の間の白抜き領域はＨＯＬＤ（保持）領域である。一般に、リードスイッチの長手方向に平行又は垂直に配置された磁石によるリードスイッチの動作は以上のようである。
【００３９】
ここで本発明の実施の形態１に戻り説明を続ける。図１の防犯センサ３５では、第１のリードスイッチ３７には感度が良いものを使用し、第２のリードスイッチ３９には感度が鈍いものを使用する。これにより、窓２１が閉じている状態（設定位置）の時には、窓枠１９側のリードスイッチ３７、３９と開閉する窓２１に取り付けた磁石１５が接近しており、第１のリードスイッチ３７はＯＮの状態、第２のリードスイッチ３９はＯＦＦの状態のままになるように、磁石１５の磁力及び第１、第２のリードスイッチ３７、３９の感度を選定している。窓２１が開けられたり、正しく閉じられていないときには、リードスイッチ３７、３９から磁石１５が離反して、第１、第２のリードスイッチ３７、３９はＯＦＦ状態になる構造となっている。
【００４０】
従って、本実施の形態１の防犯センサ３５は、侵入者が強力な外部磁石１７を窓越しに近づけ、第１及び第２のリードスイッチを窓２１が閉じた状態（施錠状態）と同じになるようにコントロールしようとした際、第２のリードスイッチ３９もＯＮ状態となり、開閉状態を検出する回路（図示せず）が、異常を検知することが出来る。
【００４１】
本実施の形態１の２つのリードスイッチは、感度（リードスイッチが動作する磁界強度）が２倍以上異なるものを配置することで、外部磁石１７による異常を確実に検知することが出来る。すなわち、感度の差異が２倍未満であると、窓を閉じた状態において第１のリードスイッチ３７をＯＮの状態に保ち、第２のリードスイッチ３９をＯＦＦの状態に保つための位置設定などが困難となり実用的でない。
【００４２】
次に、図２は本発明の請求項１、請求項３及び請求項５に係り、磁石を請求項４に係る着磁方向及び形状で、且つ、磁気感応スイッチを請求項１２に係るリードスイッチで構成した実施の形態２の防犯センサを示し、図２（ａ）は斜視図、図２（ｂ）は使用状態の概略図である。
【００４３】
図２を参照して、本実施の形態２は、実施の形態１と略同じ構成であるので、実施の形態１と同構成の部分には、それと同じ参照番号（符号）を付して、その説明を省略し、構成の異なる部分についてのみ説明する。
【００４４】
本実施の形態の磁石１５は、リードスイッチの長手方向と垂直に、且つ、プリント基板４１に平行（矢印Ｘ又はＹ方向）に相対移動する。
【００４５】
従って、本実施の形態２の防犯センサ４５は、侵入者が強力な外部磁石１７を窓越しに近づけ、第１及び第２のリードスイッチ３７、３９を窓２１が閉じた状態（施錠状態）と同じになるようにコントロールしようとした際、第２のリードスイッチもＯＮ状態となり、開閉状態を検出する回路（図示せず）が、異常を検知することが出来る。
【００４６】
次に、図３は本発明の請求項１、請求項２及び請求項６に係り、磁石を請求項４に係る着磁方向及び形状で、且つ、磁気感応スイッチを請求項１２に係るリードスイッチで構成した実施の形態３の防犯センサを示す斜視図である。
【００４７】
図３を参照して、本実施の形態３は、実施の形態１と略同じ構成であるので、実施の形態１と同構成の部分には、それと同じ参照番号を付して、その説明を省略し、構成の異なる部分についてのみ説明する。
【００４８】
本実施の形態の磁石１５は、リードスイッチの長手方向と平行に、且つ、プリント基板４１に平行（矢印Ｘ又はＹ方向）に相対移動する。
【００４９】
本実施の形態３の防犯センサ４７では、２つのリードスイッチ４９、５１は、磁石１５からの距離が異なり、第３のリードスイッチ４９と磁石１５との距離Ｌ１（リードスイッチセンターと磁石センターとの距離）に比べ、第４のリードスイッチ５１と磁石１５との距離Ｌ２が遠くなっている。これにより、窓２１が閉じている状態の時には、窓枠１９側のリードスイッチと開閉する窓に取り付けた磁石１５が接近しており、第３のリードスイッチ４９はＯＮの状態、第４のリードスイッチ５１は、ＯＦＦの状態のままになるように、磁石１５の磁力及び第３、第４のリードスイッチと磁石１５との距離を選定している。窓が開けられたり、正しく閉じられていないときには、リードスイッチから磁石１５が離反して、第３及び第４のリードスイッチはＯＦＦ状態になる構造となっている。
【００５０】
従って、本実施の形態３の防犯センサ４７は、侵入者が強力な外部磁石１７を近づけ、第３及び第４のリードスイッチを窓が閉じた状態（施錠状態）と同じになるようにコントロールしようとした際、第４のリードスイッチもＯＮ状態となり、開閉状態を検出する回路（図示せず）が、異常を検知することが出来る。
【００５１】
本実施の形態の２つのリードスイッチは、磁石１５からの距離が２倍以上異なる位置（Ｌ２≧２×Ｌ１）に配置することで、外部磁石１７による異常を確実に検知することが出来る。また、Ｌ２＜２×Ｌ１の場合には、窓が閉じられた状態（施錠状態）において、第３のリードスイッチ４９がＯＮ状態であるだけでなく、第４のリードスイッチ５１もＯＮ状態になり易く、そうなると外部磁石１７の接近による第４のリードスイッチ５１のＯＦＦ状態からＯＮ状態への変化を捉えて異常を検知することができなくなる。
【００５２】
次に、図４は本発明の請求項１、請求項２及び請求項７に係り、磁石を請求項４に係る着磁方向及び形状で、且つ、磁気感応スイッチを請求項１２に係るリードスイッチで構成した実施の形態４の防犯センサ５３を示す斜視図である。
【００５３】
図４を参照して、本実施の形態４は、実施の形態１と略同じ構成であるので、実施の形態１と同構成の部分には、それと同じ参照番号を付して、その説明を省略し、構成の異なる部分についてのみ説明する。
【００５４】
本実施の形態の駆動用磁石１５は、リードスイッチの長手方向と平行に、且つ、プリント基板４１に平行（矢印Ｘ又はＹ方向）に相対移動する。
【００５５】
本実施の形態４の防犯センサ５３では、２つの第５及び第６のリードスイッチ５５、５７を備え、第５のリードスイッチ５５近傍にのみ自己保持用磁石５９を備えている。これにより、窓が開いた状態の時には、第５のリードスイッチ５５はＯＮの状態となるが、第６のリードスイッチ５７は、ＯＦＦの状態のままになるように、自己保持用磁石５９の磁力及び第５、第６のリードスイッチ５５、５７と駆動用磁石１５との位置を選定している。窓が閉められた状態の時には、第６のリードスイッチ５７はＯＮの状態となるが、第５のリードスイッチ５５は、自己保持用磁石５９と駆動用磁石１５の磁束がキャンセルされるため、ＯＦＦ状態になる構造となっている。
【００５６】
従って、本実施の形態４の防犯センサ５３は、侵入者が強力な外部磁石１７を近づけ、第５及び第６のリードスイッチを窓が閉じた状態（施錠状態）と同じになるようにコントロールしようとした際、第５のリードスイッチ５５もＯＮ状態となり、開閉状態を検出する回路（図示せず）が、異常を検知することが出来る。
【００５７】
次に、図５は本発明の請求項１、請求項２及び請求項８に係り、磁石を請求項９に係る着磁方向及び形状で、且つ、磁気感応スイッチを請求項１２に係るリードスイッチで構成した実施の形態５の防犯センサ６１を示し、図５（ａ）は斜視図、図５（ｂ）は動作領域を示す図である。
【００５８】
図５を参照して、本実施の形態５は、実施の形態１と略同じ構成であるので、実施の形態１と同構成の部分には、それと同じ参照番号を付して、その説明を省略し、構成の異なる部分についてのみ説明する。
【００５９】
本実施の形態の駆動用の磁石６７は、リードスイッチの長手方向と平行に、且つ、プリント基板４１に平行（矢印Ｘ又はＹ方向）に相対移動する。
【００６０】
本実施の形態５の防犯センサ６１では、２つの第７及び第８のリードスイッチ６３、６５を備え、第７のリードスイッチ６３は磁石６７のセンター位置に配置され、言い換えると、中心部に対向して配置され、第８のリードスイッチ６５は磁石移動方向に離れて配置されている。これにより、窓が閉じている状態の時には、窓枠側のリードスイッチと開閉する窓に取り付けた磁石６７が接近しており、図５（ｂ）の動作領域のように第７のリードスイッチ６３はＯＦＦの状態、第８のリードスイッチ６５はＯＮの状態のままになるように、磁石６７の磁力及び第７、第８のリードスイッチ６３、６５と磁石６７との位置を選定している。窓が開けられたり、正しく閉じられていないときに、リードスイッチから磁石６７が離反すると、第７及び第８のリードスイッチ６３、６５はＯＦＦ状態になる構造となっている。
【００６１】
従って、本実施の形態５の防犯センサ６１は、侵入者が強力な外部磁石１７を近づけ、第７及び第８のリードスイッチ６３、６５を窓が閉じた状態（施錠状態）と同じになるようにコントロールしようとした際、第７のリードスイッチ６３がＯＮ状態又は第８のリードスイッチ６５がＯＦＦ状態となり、開閉状態を検出する回路（図示せず）が、異常を検知することが出来る。
【００６２】
すなわち、本実施の形態５のリードスイッチは、図５（ｂ）のように、１つは磁石のセンター部のＯＦＦ領域に配置し、もう１つは磁石のセンター部から磁石移動方向にずらしたＯＮ領域に配置することで、外部磁石１７による異常を確実に検知することが出来る。
【００６３】
図６は本発明の請求項１０に係り、磁気感応スイッチを請求項１２に係るリードスイッチで構成した実施の形態６の防犯センサを示し、図６（ａ）は斜視図、図６（ｂ）、図６（ｃ）は動作領域を示す図である。なお、図６（ｂ）及び図６（ｃ）は、図６（ａ）の下方から見たリードスイッチ７１及び磁石６７の位置関係に対して、磁石６７による磁界のＯＦＦ領域とＯＮ領域を模式的に付記した図である。
【００６４】
図６を参照して、本実施の形態６は、実施の形態１と略同じ構成であるので、実施の形態１と同構成の部分には、それと同じ参照番号を付して、その説明を省略し、構成の異なる部分についてのみ説明する。
【００６５】
本実施の形態の駆動用磁石６７は、リードスイッチの長手方向と平行に、且つ、プリント基板４１に平行（矢印Ｘ又はＹ方向）に相対移動する。
【００６６】
本実施の形態６の防犯センサ６９では、第９のリードスイッチ７１を備え、設定位置（施錠位置）では第９のリードスイッチ７１は磁石６７のセンター位置から磁石６７の移動方向に離れて配置されている。これにより、窓が閉じている状態（設定位置）の時には、窓枠側のリードスイッチ７１と開閉する窓に取り付けた磁石６７が接近しているが、最も接近した位置（リードスイッチ７１の中心部と磁石６７の中心部が最小距離になる位置）にはなく、図６（ｂ）の動作領域のように第９のリードスイッチ７１はＯＮの状態になるように、磁石６７との位置を選定している。窓が開けられたり、正しく閉じられていないときには、リードスイッチ７１から磁石６７が離反して、第９のリードスイッチ７１はＯＦＦ状態になる構造となっている。また、図６（ｃ）のように、磁石６７のセンター位置がリードスイッチ７１のセンター位置にある場合にも、ＯＦＦ状態になる。このリードスイッチ７１の動作を窓の移動に対応させて更に説明すると、窓が閉じている設定状態では、磁石６７は図６（ｂ）の位置にあり、ＯＮ状態であり、次に磁石６７がＸ方向に移動して、図６（ｃ）のような最も接近する位置の前後ではＯＦＦ状態となり、更に磁石６７がＸ方向に移動すると、再びＯＮ状態になり、更にまた磁石６７がＸ方向に移動するとＯＦＦ状態になる。
【００６７】
従って、本実施の形態６の防犯センサ６９は、侵入者が強力な外部磁石１７を近づけ、第９のリードスイッチ７１を窓が閉じた状態（施錠状態）と同じになるようにコントロールしようとした際、第９のリードスイッチ７１がＯＦＦ状態となり、開閉状態を検出する回路（図示せず）が、異常を検知することが出来る。
【００６８】
すなわち、本実施の形態６のリードスイッチは、図６（ｂ）のように、磁石６７のセンターから、磁石移動方向にずらしたＯＮ領域に配置されることで、１つのリードスイッチでも外部磁石１７による異常を確実に検知することが出来る。
【００６９】
次に、図７は本発明の請求項１１に係り、磁石１５を請求項４に係る着磁方向及び形状で、且つ、磁気感応スイッチを請求項１２に係るリードスイッチで構成した実施の形態７の防犯センサを示す斜視図である。
【００７０】
図７を参照して、本実施の形態７は、実施の形態１と略同じ構成であるので、実施の形態１と同構成の部分には、それと同じ参照番号を付して、その説明を省略し、構成の異なる部分についてのみ説明する。
【００７１】
本実施の形態の磁気遮蔽板７７は、リードスイッチ７５の長手方向と平行に、且つ、プリント基板４１に平行（矢印Ｙ方向）にリードスイッチ７５と磁石１５の間を相対移動する。
【００７２】
本実施の形態７の防犯センサ７３では、第１０のリードスイッチ７５と磁石１５が備えられ、１つのユニットとして固定配置され、リードスイッチ７５と磁石１５の間に磁性体の磁気遮蔽板７７が挿入される配置となっている。これにより、窓２１が閉じている状態の時には、窓枠側に取り付けたリードスイッチ７５と磁石１５の間に、開閉する窓に取り付けた磁気遮蔽板７７が挿入され、磁石１５の磁束が遮蔽されることで、第１０のリードスイッチ７５はＯＦＦの状態になるように、リードスイッチ７５、磁石１５及び磁気遮蔽板７７の位置を選定している。窓２１が開けられたり、正しく閉じられていないときには、磁石１５の磁束で第１０のリードスイッチ７５がＯＮ状態になる構造となっている。
【００７３】
従って、本実施の形態７の防犯センサ７３は、侵入者が強力な外部磁石１７を近づけ、第１０のリードスイッチ７５を窓２１が閉じた状態（施錠状態）と同じになるようにコントロールしようとした際、第１０のリードスイッチ７５がＯＮ状態となり、開閉状態を検出する回路（図示せず）が、異常を検知することが出来る。
【００７４】
すなわち、本実施の形態７のリードスイッチは、図７のように、リードスイッチ７３と磁石１５の間に可動の磁性体の磁気遮蔽板７７を配置することで、外部磁石１７による異常を確実に検知することが出来る。
【００７５】
次に、図８は本発明の請求項１、請求項２及び請求項５に係り、磁石を請求項４に係る着磁方向及び形状で、且つ、磁気感応スイッチを請求項１３又は請求項１４に係るホールＩＣ又はＭＲ素子で構成した実施の形態８の防犯センサを示す斜視図である。
【００７６】
図８を参照して、本実施の形態８は、実施の形態１と略同じ構成であるので、実施の形態１と同構成の部分には、それと同じ参照番号を付して、その説明を省略し、構成の異なる部分についてのみ説明する。
【００７７】
本実施の形態８の駆動用の磁石１５は、ホールＩＣ又はＭＲ素子とスイッチング回路の実装されたケース４３に平行（矢印Ｘ又はＹ方向）に相対移動する。
【００７８】
本実施の形態８の防犯センサ７９では、２つのホールＩＣ８１と、スイッチング回路８３を備えている。ここで、ホールＩＣ８１はＭＲ素子で置き換えてもよい。これにより、窓が閉じている状態の時には、窓枠側のホールＩＣ８１と開閉する窓に取り付けた磁石１５が接近しており、ホールＩＣ８１はＯＮ状態になるように、磁石１５の磁力及びホールＩＣ８１と磁石１５との距離を選定している。窓が開けられたり、正しく閉じられていないときには、ホールＩＣ８１と磁石が離反して、ホールＩＣ８１はＯＦＦ状態になる構造となっている。
【００７９】
ただし、本実施の形態の２つのホールＩＣ８１は、感度が異なるものを配置することで、窓が閉じた状態においても、一方のホールＩＣをＯＦＦ状態に保っておき、外部磁石１７による異常を確実に検知することが出来る。
【００８０】
すなわち、本実施の形態の防犯センサ７９は、侵入者が強力な外部磁石１７を近づけ、ホールＩＣ８１を窓が閉じた状態（施錠状態）と同じになるようにコントロールしようとした際、ＯＦＦ状態に設定しておいたホールＩＣ８１がＯＮ状態となり、開閉状態を検出する回路（図示せず）が、異常を検知することが出来る。
【００８１】
従って、本実施の形態８の防犯センサ７９のように、磁気感応スイッチとしてホールＩＣ、ＭＲ素子（Ｍａｇｎｅｔｉｃ  Ｒｅｓｉｓｔｏｒ；磁気抵抗素子）等の場合にもリードスイッチの場合と同様の効果が得られることは勿論である。
【００８２】
また、請求項１から１１に係る実施の形態の防犯センサについては、磁気感応スイッチがケース型リードスイッチ、樹脂モールド型リードスイッチ、基板実装型近接スイッチの場合にも同様の効果が得られ、応用可能であることは勿論である。
【００８３】
以上の説明から明らかなように、磁気感応スイッチは請求項１２〜１４のいずれの形態であっても、侵入者が強力な外部磁石を近づけ、窓が閉じた状態（施錠状態）と同じになるようにコントロールしようとした場合でも、確実に異常を検知することが出来る。
【００８４】
次に、請求項１５に係る防犯センサについて、図面に基づいて説明する。図１１は本発明の実施の形態９での防犯センサを示す斜視図である。プリント基板４１上に第１のリードスイッチ２０１と第２のリードスイッチ２０２が並置されている。他方、支持板２１０の上には第１の磁石２０６と第２の磁石２０７が配設され、いずれも、プリント基板４１の面に垂直な方向に着磁され、第１の磁石２０６と第２の磁石２０７の着磁方向は互いに逆向きの極性を持つ。
【００８５】
このとき第１及び第２の磁石２０６、２０７を載せた支持板２１０は、第１及び第２のリードスイッチ２０１、２０２を載せたプリント基板４１の面に平行に且つ第１及び第２の磁気感応スイッチ２０１、２０２の長手方向に平行に、すなわち矢印２２０の方向に移動可能である。
【００８６】
本実施の形態９の防犯センサが窓の引き戸に取付けられたときの動作について説明する。図１１の状態は窓の引き戸が閉じられた状態に対応する。ここで、第１のリードスイッチ２０１及び第１の磁石２０６の組と、第２のリードスイッチ２０２及び第２の磁石２０７の組とのそれぞれに着目すると、その動作はすでに説明した実施の形態６（図６参照）と同様である。すなわち、設定位置（施錠状態）ではいずれのリードスイッチもＯＮになるように位置決めされ、次に窓が開けられ支持板２１０が矢印２２０の方向に移動し、磁石がリードスイッチの真上の最近接位置に近づくと、リードスイッチはＯＦＦになり、さらに矢印２２０の方向に移動すると再びリードスイッチはＯＮになり、同方向の移動を続けると再びＯＦＦになる。
【００８７】
ところで、侵入者の外部磁石によって、窓を開けたときに第１のリードスイッチ２０１及び第２のリードスイッチ２０２にＯＮを維持させようとしても、第１の磁石２０６と第２の磁石２０７は逆方向に着磁されているので、両方のリードスイッチをＯＮのままに保つことは、実施の形態６と比べてもいっそう困難になる。なお第１のリードスイッチ２０１と第２のリードスイッチ２０２から、それぞれ端子を引き出して、検出用回路で処理してもよいが、両者を直列接続して、２つの端子を引き出しておけば、一方のリードスイッチがＯＦＦになれば全体としてＯＦＦになる。
【００８８】
次に、請求項１６に係る防犯センサについて、図面に基づいて説明する。図１２は本発明の実施の形態１０での防犯センサを示す斜視図である。同図のように本実施の形態１０の防犯センサは図１１に示した実施の形態９の防犯センサに、さらに、第３のリードスイッチ２０３と自己保持用磁石５９を備え、侵入者の外部磁石による画策をさらに困難なものにする。すなわち、自己保持用磁石５９を並置して備えるので、第１及び第２の磁石２０６、２０７が矢印２２０の方向に移動しても常にＯＮ状態を保つ第３のリードスイッチ２０３が、第１のリードスイッチ２０１と第２のリードスイッチ２０２の間に配設されている。しかし、強力な外部磁石が近づくとＯＦＦ状態になるように、自己保持用磁石５９の強さを選択する。このような第１、第２及び第３のリードスイッチを直列に繋ぐことにより、信頼性の高い防犯センサが得られる。ただし、それぞれのリードスイッチから端子を引き出して検出回路内でいずれか１つがＯＦＦのときに侵入が開始されたと判断させてもよい。
【００８９】
以上、この発明の実施の形態を図面により詳述してきたが、具体的な構成はこの実施の形態に限られたものではなく、この発明の要旨を逸脱しない範囲の設計変更等があってもこの発明に含まれる。例えば、第１の実施の形態に於いて、磁気感応スイッチの動作状態と不動作状態とに於ける、オン、オフの関係は逆であっても良い。また、磁気感応スイッチと磁石の取付場所は窓枠と開閉窓のどちらであっても良く、磁気感応スイッチが磁石に対して、相対移動しても良い。また、磁気感応スイッチ、磁石又は磁気遮蔽板の少なくともいずれかを備えた２つの独立部であれば、設置場所は開閉窓だけでなく、開閉ドアへの設置であっても良い。また、磁気感応スイッチと磁石の上下左右の位置は、各実施の形態の場合と逆であっても良い。また、磁気感応スイッチの使用数は、各実施の形態の１本、２本若しくは３本に限らず、４本以上でも良い。また、磁石の形状は、直方体状に限らず、棒状、円柱状、円板状などであっても良い。また、磁石の極性（Ｎ極、Ｓ極）の関係は逆であっても良い。
【図面の簡単な説明】
【００９０】
【図１】本発明の実施の形態１の防犯センサを示し、図１（ａ）は斜視図、図１（ｂ）は使用状態の概略図。
【図２】本発明の実施の形態２の防犯センサを示し、図２（ａ）は斜視図、図２（ｂ）は使用状態の概略図。
【図３】本発明の実施の形態３の防犯センサを示す斜視図。
【図４】本発明の実施の形態４の防犯センサを示す斜視図。
【図５】本発明の実施の形態５の防犯センサを示し、図５（ａ）は斜視図、図５（ｂ）は動作領域を示す図。
【図６】本発明の実施の形態６の防犯センサを示し、図６（ａ）は斜視図、図６（ｂ）、図６（ｃ）は動作領域を示す図。
【図７】本発明の実施の形態７の防犯センサを示す斜視図。
【図８】本発明の実施の形態８の防犯センサを示す斜視図。
【図９】リードスイッチの長手方向と平行に配置された棒磁石の位置とリードスイッチの動作との関係を示す説明図であり、図９（ａ）は第１の磁石位置、図９（ｂ）は第２の磁石位置、図９（ｃ）は第３の磁石位置、図９（ｄ）は動作領域を示す図。
【図１０】リードスイッチの長手方向と垂直に配置された棒磁石の位置とリードスイッチの動作との関係を示す説明図であり、図１０（ａ）は第１の磁石位置、図１０（ｂ）は第２の磁石位置、図１０（ｃ）は動作領域を示す図。
【図１１】本発明の実施の形態９での防犯センサを示す斜視図。
【図１２】本発明の実施の形態１０での防犯センサを示す斜視図。
【図１３】従来例１の防犯センサを示し、図１３（ａ）は斜視図、図１３（ｂ）は使用状態の概略図。
【図１４】従来例２の防犯センサの使用状態を示す概略図。
【符号の説明】
【００９１】
１１、２３、３５、４５、４７、５３、６１、６９、７３、７９    防犯センサ
１３、２５、３１、３７、３９、４９、５１、５５、５７、６３、６５、７１、７５、９２、２０１、２０２、２０３    リードスイッチ
１５、２７、３３、６７、２０６、２０７      磁石
１７    外部磁石
１９    窓枠
２１    窓
２９    検知器
４１    プリント基板（実装基板）
４３    ケース
５９    自己保持用磁石
７７    磁気遮蔽板
８１    ホールＩＣ
８３    スイッチング回路
９１    棒磁石
９７    穴部
１０１    ケース取り付け部
１０２    磁石取り付け面
２１０    支持板
２２０    矢印
【図１】
2006164958.tif 000003
【図２】
2006164958.tif 000004
【図３】
2006164958.tif 000005
【図４】
2006164958.tif 000006
【図５】
2006164958.tif 000007
【図６】
2006164958.tif 000008
【図７】
2006164958.tif 000009
【図８】
2006164958.tif 000010
【図９】
2006164958.tif 000011
【図１０】
2006164958.tif 000012
【図１１】
2006164958.tif 000013
【図１２】
2006164958.tif 000014
【図１３】
2006164958.tif 000015
【図１４】
2006164958.tif 000016